(57)【要約】【課題】車両を駐車させる場合において他の車両の走行に与える影響を低減する技術を提供する。【解決手段】特定部７６は、車両１００の駐車開始位置から駐車終了位置までの駐車経路を特定する。推定部７０は、車両１００を他の車両が通り過ぎる場合における他の車両の走行予定経路を推定する。選択部７８は、特定部７６において特定した駐車経路のうち、推定部７０において推定した走行予定経路へのはみ出しが相対的に小さい部分を選択する。検出情報入力部５２は、車両１００に接近する他の車両の検出結果である検出情報を受けつける。コマンド出力部５５は、特定部７６において特定した駐車経路に沿った移動の指示と、検出情報入力部５２が検出情報を受けつけた場合に、選択部７８において選択した部分での停車の指示とを、車両１００の移動を制御する移動制御装置３０に出力する。【選択図】図２
2018163113.tif 000002
【特許請求の範囲】
【請求項１】
車両の駐車開始位置から駐車終了位置までの駐車経路を特定する特定部と、
前記車両を他の車両が通り過ぎる場合における前記他の車両の走行予定経路を推定する推定部と、
前記特定部において特定した駐車経路のうち、前記推定部において推定した走行予定経路へのはみ出しが相対的に小さい部分を選択する選択部と、
前記車両に接近する他の車両の検出結果である検出情報を受けつける入力部と、
前記特定部において特定した駐車経路に沿った移動の指示と、前記入力部が検出情報を受けつけた場合に、前記選択部において選択した部分での停車の指示とを、前記車両の移動を制御する移動制御装置に出力する出力部と、
を備えることを特徴とする駐車支援装置。
【請求項２】
駐車経路の候補として、切り返し回数が相対的に少ない第１候補と、走行予定経路へのはみ出し面積が相対的に小さい第２候補とを導出する導出部をさらに備え、
前記特定部は、駐車経路を特定するタイミングにおいて前記入力部が検出情報を受けつけているか否かに応じて、第１候補あるいは第２候補を駐車経路として特定することを特徴とする請求項１に記載の駐車支援装置。
【請求項３】
駐車経路の候補として、切り返し回数が相対的に少ない第１候補と、走行予定経路へのはみ出し面積が相対的に小さい第２候補とを導出する導出部と、
前記導出部において導出した第１候補と第２候補を報知装置に出力する候補出力部と、
前記報知装置に表示された第１候補あるいは第２候補の選択であって、かつ乗員による選択が示された操作信号を受けつける操作信号入力部とをさらに備え、
前記特定部は、前記操作信号入力部において受けつけた操作信号に示された選択をもとに、第１候補あるいは第２候補を駐車経路として特定することを特徴とする請求項１に記載の駐車支援装置。
【請求項４】
前記選択部において選択した部分が、前記特定部において特定した駐車経路上に示された画像を報知装置に出力する画像出力部と、
前記報知装置に表示された画像の駐車経路上の位置であって、かつ乗員によって指定された位置が示された操作信号を受けつける操作信号入力部とをさらに備え、
前記出力部は、前記入力部が検出情報を受けつけた場合に、前記操作信号入力部において受けつけた操作信号に示された位置での停車の指示を前記移動制御装置に出力することを特徴とする請求項１に記載の駐車支援装置。
【請求項５】
車外に向かって情報を表示する車外向け表示装置における表示を制御する表示制御部をさらに備え、
前記表示制御部は、前記出力部が停車の指示を前記移動制御装置に出力した場合に、前記推定部において推定した走行予定経路の少なくとも一部を前記車外向け表示装置に表示させることを特徴とする請求項１から４のいずれかに記載の駐車支援装置。
【請求項６】
車外に向かって情報を表示する車外向け表示装置における表示を制御する表示制御部をさらに備え、
前記表示制御部は、前記出力部が停車の指示を前記移動制御装置に出力した場合に、前記特定部において特定した駐車経路の少なくとも一部を前記車外向け表示装置に表示させることを特徴とする請求項１から４のいずれかに記載の駐車支援装置。
【請求項７】
車両の駐車開始位置から駐車終了位置までの駐車経路を特定する特定部と、
前記車両を他の車両が通り過ぎる場合における前記他の車両の走行予定経路を推定する推定部と、
前記特定部において特定した駐車経路のうち、前記推定部において推定した走行予定経路へのはみ出しが相対的に小さい部分を選択する選択部と、
前記車両に接近する他の車両の検出結果である検出情報を受けつける入力部と、
前記特定部において特定した駐車経路に沿った移動の指示と、前記入力部が検出情報を受けつけた場合に、前記選択部において選択した部分での停車の指示とをもとに、前記車両の移動を制御する移動制御部と、
を備えることを特徴とする移動制御装置。
【請求項８】
車両の駐車開始位置から駐車終了位置までの駐車経路を特定するステップと、
前記車両を他の車両が通り過ぎる場合における前記他の車両の走行予定経路を推定するステップと、
特定した駐車経路のうち、推定した走行予定経路へのはみ出しが相対的に小さい部分を選択するステップと、
前記車両に接近する他の車両の検出結果である検出情報を受けつけるステップと、
特定した駐車経路に沿った移動の指示と、検出情報を受けつけた場合に、選択した部分での停車の指示とを、前記車両の移動を制御する移動制御装置に出力するステップと、
を備えることを特徴とする駐車支援方法。
【請求項９】
車両の駐車開始位置から駐車終了位置までの駐車経路を特定するステップと、
前記車両を他の車両が通り過ぎる場合における前記他の車両の走行予定経路を推定するステップと、
特定した駐車経路のうち、推定した走行予定経路へのはみ出しが相対的に小さい部分を選択するステップと、
前記車両に接近する他の車両の検出結果である検出情報を受けつけるステップと、
特定した駐車経路に沿った移動の指示と、検出情報を受けつけた場合に、選択した部分での停車の指示とを、前記車両の移動を制御する移動制御装置に出力するステップとをコンピュータに実行させるためのプログラム。
【発明の詳細な説明】
【技術分野】
【０００１】
本発明は、車両における駐車支援方法およびそれを利用した駐車支援装置、移動制御装置、プログラムに関する。
【背景技術】
【０００２】
駐車支援装置は、車両の駐車位置の設定を支援する。例えば、駐車支援装置は、自車両の出庫時における駐車スペースの周囲スペースを推定してから、周囲スペースにおいて自車両が出庫可能か否かを判定した結果をもとに駐車位置の設定を支援する。この駐車支援装置に対して、他の車両の移動を可能な限り妨げずに自車両のスムーズな入庫を行うことが求められる。そのため、駐車行動に入る前に、互いの進行方向を車車間通信で確認し、入庫優先度と待機位置を決定する。
【先行技術文献】
【特許文献】
【０００３】
【特許文献１】特開２０１４−２４０２４４号公報
【発明の概要】
【発明が解決しようとする課題】
【０００４】
しかしながら、自動駐車制御が始まってしまうと、他の車両が近づいてきても、ユーザがブレーキ操作をしなければ、駐車が完了するまで途中で止まらない。そのため、本車両の駐車が完了するまで、他の車両の走行の妨げになる。
【０００５】
本発明はこうした状況に鑑みなされたものであり、その目的は、車両を駐車させる場合において他の車両の走行に与える影響を低減する技術を提供することにある。
【課題を解決するための手段】
【０００６】
上記課題を解決するために、本発明のある態様の駐車支援装置は、車両の駐車開始位置から駐車終了位置までの駐車経路を特定する特定部と、車両を他の車両が通り過ぎる場合における他の車両の走行予定経路を推定する推定部と、特定部において特定した駐車経路のうち、推定部において推定した走行予定経路へのはみ出しが相対的に小さい部分を選択する選択部と、車両に接近する他の車両の検出結果である検出情報を受けつける入力部と、特定部において特定した駐車経路に沿った移動の指示と、入力部が検出情報を受けつけた場合に、選択部において選択した部分での停車の指示とを、車両の移動を制御する移動制御装置に出力する出力部と、を備える。
【０００７】
本発明の別の態様は、移動制御装置である。この装置は、車両の駐車開始位置から駐車終了位置までの駐車経路を特定する特定部と、車両を他の車両が通り過ぎる場合における他の車両の走行予定経路を推定する推定部と、特定部において特定した駐車経路のうち、推定部において推定した走行予定経路へのはみ出しが相対的に小さい部分を選択する選択部と、車両に接近する他の車両の検出結果である検出情報を受けつける入力部と、特定部において特定した駐車経路に沿った移動の指示と、入力部が検出情報を受けつけた場合に、選択部において選択した部分での停車の指示とをもとに、車両の移動を制御する移動制御部と、を備える。
【０００８】
本発明のさらに別の態様は、駐車支援方法である。この方法は、車両の駐車開始位置から駐車終了位置までの駐車経路を特定するステップと、車両を他の車両が通り過ぎる場合における他の車両の走行予定経路を推定するステップと、特定した駐車経路のうち、推定した走行予定経路へのはみ出しが相対的に小さい部分を選択するステップと、車両に接近する他の車両の検出結果である検出情報を受けつけるステップと、特定した駐車経路に沿った移動の指示と、検出情報を受けつけた場合に、選択した部分での停車の指示とを、車両の移動を制御する移動制御装置に出力するステップと、を備える。
【０００９】
なお、以上の構成要素の任意の組合せ、本発明の表現を装置、システム、方法、プログラム、プログラムを記録した記録媒体、本装置を搭載した車両などの間で変換したものもまた、本発明の態様として有効である。
【発明の効果】
【００１０】
本発明によれば、車両を駐車させる場合において他の車両の走行に与える影響を低減できる。
【図面の簡単な説明】
【００１１】
【図１】図１（ａ）−（ｂ）は、実施の形態１に係る車両の駐車の概要を示す図である。
【図２】実施の形態１に係る車両の構成を示す図である。
【図３】図３（ａ）−（ｃ）は、図２の推定部、導出部における処理の概要を示す図である。
【図４】図４（ａ）−（ｃ）は、図２の選択部における処理の概要を示す図である。
【図５】図５（ａ）−（ｂ）は、図２の表示制御部による処理の概要を示す図である。
【図６】図６（ａ）−（ｂ）は、実施の形態１に係る車両の駐車の別の概要を示す図である。
【図７】図２の駐車支援装置による駐車手順を示すフローチャートである。
【図８】図２の駐車支援装置による待機判定手順を示すフローチャートである。
【図９】図２の駐車支援装置による経路設定手順を示すフローチャートである。
【図１０】実施の形態２に係る駐車支援装置の構成を示す図である。
【図１１】図１０の報知装置に表示される画像を示す図である。
【図１２】実施の形態３に係る駐車支援装置の構成を示す図である。
【図１３】図１３（ａ）−（ｂ）は、図１２の報知装置に表示される画像を示す図である。
【発明を実施するための形態】
【００１２】
（実施の形態１）
本発明を具体的に説明する前に、概要を述べる。本実施の形態は、駐車を自動で実行する車両に関する。この車両では自動運転制御が可能であり、本実施の形態ではそのうちの自動駐車制御に着目する。ここでは、特に、車両の走行、制動、操舵を自動的に制御する自動運転制御装置に対して、駐車に関する指示を出力する駐車支援装置に関する。自動駐車制御では、車両の駐車の動作を開始させる位置（以下、「駐車開始位置」という）から、最終的に車両を駐車すべき位置（以下、「最終駐車位置」）までの駐車の動作において走行すべき経路（以下、「駐車経路」という）が導出される。車両は、駐車経路を最終駐車位置まで走行し、最終駐車位置で停止する。
【００１３】
このような自動駐車制御の実行中に他の車両が近づいてきた場合、当該他の車両の走行を妨げないことが好ましい。そのために、本実施の形態に係る駐車支援装置は、例えば、次の３つの処理を実行する。１つ目の処理では、自動駐車制御を開始する際に、他の車両の有無によって駐車経路が変更される。他の車両が存在しない場合、駐車支援装置は、他の車両の通行を妨げるような本車両が優先の駐車経路を選択する。一方、他の車両が存在すれば、駐車支援装置は、他の車両が通行可能な道幅を空けるような他の車両が通行可能な駐車経路を選択する。２つ目の処理では、自動駐車制御中に他の車両が通行可能な位置に進入してきた場合、逐次、他の車両の接近を確認し、接近してくれば、待機行動に移り、他の車両の通行を優先させる。特に、待機行動において、他の車両が通行できる道幅を確保する。３つ目の処理では、自動駐車が待機中もしくは駐車完了であること、通行できる道幅があることを他の車両に知らせる。
【００１４】
以下、本発明の実施の形態について、図面を参照して詳細に説明する。なお、以下に説明する各実施の形態は一例であり、本発明はこれらの実施の形態により限定されるものではない。
【００１５】
図１（ａ）−（ｂ）は、実施の形態１に係る車両１００の駐車の概要を示し、これらは、車両１００が駐車すべき駐車場２００を示す。駐車場２００には、複数の駐車領域２１０が配置されており、いくつかの駐車領域２１０には他の車両が既に駐車されているが、残りの駐車領域２１０には他の車両が駐車されておらず空きになっている。車両１００は、センサ等を使用しながら空きの駐車領域２１０の探索し、空きの駐車領域２１０を検出すると、そこに自動的に駐車する。図１（ａ）では、車両１００は、自動駐車制御によって、駐車開始位置２２０から切り返し位置２２２に移動し、切り返し位置２２２において切り返してから最終駐車位置２２４に移動する。ここで、車両１００の後方から他車両１１０が走行してきた場合、他車両１１０が車両１００を通り過ぎるために走行すると予定される経路は「走行予定経路」とよばれ、矢印で示される。
【００１６】
図１（ｂ）では、車両１００は、自動駐車制御によって、駐車開始位置２２０から第１切り返し位置２２２ａに移動し、第１切り返し位置２２２ａにおいて切り返してから第２切り返し位置２２２ｂに移動する。また、車両１００は、第２切り返し位置２２２ｂにおいて切り返してから第３切り返し位置２２２ｃに移動する。さらに、車両１００は、第３切り返し位置２２２ｃから最終駐車位置２２４に移動する。ここでも、他車両１１０の走行予定経路は矢印で示される。図１（ａ）と比較して、図１（ｂ）の駐車経路は走行予定経路にはみ出す部分が小さい。一方、図１（ａ）と比較して、図１（ｂ）の駐車経路では、切り返し回数が多い。このように車両１００の駐車経路には複数の種類があり、駐車経路ごとに他車両１１０の走行に与える影響が異なる。
【００１７】
図２は、実施の形態１に係る車両１００の構成を示し、特に自動運転車両に関する構成を示す。車両１００は、検出部２０、移動制御装置３０、駐車支援装置４０、車外向け表示装置９２を含む。駐車支援装置４０は、制御部４１、検出情報入力部５２、コマンド出力部５５、表示制御部９０を含み、制御部４１は、推定部７０、導出部７２、監視部７４、特定部７６、選択部７８、処理部８０を含む。車両１００は、自動運転モードで走行可能であるが、ここでは自動駐車を説明の対象にする。図２に示す各装置の間は、専用線あるいはＣＡＮ（Ｃｏｎｔｒｏｌｌｅｒ  Ａｒｅａ  Ｎｅｔｗｏｒｋ）等の有線通信で接続されてもよい。また、ＵＳＢ（Ｕｎｉｖｅｒｓａｌ  Ｓｅｒｉａｌ  Ｂｕｓ）、Ｅｔｈｅｒｎｅｔ（登録商標）、Ｗｉ−Ｆｉ（登録商標）、Ｂｌｕｅｔｏｏｔｈ（登録商標）等の有線通信または無線通信で接続されてもよい。
【００１８】
検出部２０は、車両１００の周囲状況および走行状態を検出する。検出部２０は、例えば、車両１００の位置情報、車両１００の周辺の障害物、他車両１１０の存在を検出する。検出部２０は、検出した各種情報（以下、「検出情報」という）を駐車支援装置４０に出力する。検出部２０は、位置情報取得部２１、センサ２２、地図情報取得部２４を含む。なお、地図情報取得部２４は、車両に搭載されるセンサ等で周囲環境をセンシングして地図に相当するものを作成する地図情報生成部（不図示）が備えられる場合には、地図情報生成部に置き換えてもよい。
【００１９】
位置情報取得部２１は、ＧＮＳＳ（Ｇｌｏｂａｌ  Ｎａｖｉｇａｔｉｏｎ  Ｓａｔｅｌｌｉｔｅ  Ｓｙｓｔｅｍ（ｓ））受信機から車両１００の現在位置を取得する。センサ２２は、車外の状況および車両１００の状態を検出するための各種センサの総称である。車外の状況を検出するためのセンサとして例えばカメラ、ミリ波レーダ、ＬＩＤＡＲ（Ｌｉｇｈｔ  Ｄｅｔｅｃｔｉｏｎ  ａｎｄ  Ｒａｎｇｉｎｇ、Ｌａｓｅｒ  Ｉｍａｇｉｎｇ  Ｄｅｔｅｃｔｉｏｎ  ａｎｄ  Ｒａｎｇｉｎｇ）、ソナー、気温センサ、気圧センサ、湿度センサ、照度センサ等が搭載される。車外の状況は、車線情報を含む自車の走行する道路状況、天候を含む環境、自車周辺状況、近傍位置にある他車両（隣接車線を走行する他車両等）を含む。なお、センサ２２が検出できる車外の情報であれば何でもよい。
【００２０】
また車両１００の状態を検出するためのセンサ２２として例えば、加速度センサ、ジャイロセンサ、地磁気センサ、傾斜センサ等が搭載される。特に、図１（ａ）−（ｂ）の他車両１１０を検出するために、センサ２２は、全周囲カメラと、移動体検知の組合せで実現されてもよい。ここで、移動体検知とは、オプティカルフローを使って画像のフレーム間の処理を行うことによって、物体の動きを検知する技術である。地図情報取得部２４は、地図データベースから車両１００の現在位置周辺の地図情報を取得する。地図データベースは、車両１００内の記録媒体に記録されていてもよいし、使用時にネットワークを介して地図サーバからダウンロードしてもよい。なお、地図情報には、道路、交差点、駐車場に関する情報が含まれている。
【００２１】
検出情報入力部５２は、検出部２０による検出処理の結果であり、車両１００の現在の周囲状況および走行状態を示す検出情報を検出部２０から受信する。ここで、センサ２２からの検出情報では、車両１００の周辺の障害物、他車両１１０の存在が示される。また、位置情報取得部２１からの検出情報では、位置情報が示されており、以下ではこのような検出情報を位置情報ということもある。また、地図情報取得部２４からの検出情報では、駐車場２００の地図情報が示されており、以下では、このような検出情報を地図情報ということもある。検出情報入力部５２は、これらの情報を制御部４１に出力する。
【００２２】
推定部７０は、検出情報入力部５２からの地図情報と位置情報とをもとに、車両１００が駐車場２００に存在することを認識する。この認識によって、以下に説明する処理が開始される。なお、乗員からの入力によって処理が開始されてもよい。推定部７０は、駐車場２００に存在する場合に、検出情報をもとに、地図情報に示された駐車領域２１０に他の車両等の障害物が存在するかを探索する。駐車領域２１０に対する検出情報に他の車両等の障害物の存在が示されていない場合、推定部７０は、当該駐車領域２１０を空きの駐車領域２１０として特定する。推定部７０は、特定した駐車領域２１０に駐車する車両１００を他車両１１０が通り過ぎる場合における他車両１１０の走行予定経路を推定する。
【００２３】
図３（ａ）−（ｃ）は、推定部７０、導出部７２における処理の概要を示す。図３（ａ）において、位置情報によって示される車両１００によって、駐車領域２１０が特定されている。推定部７０は、走行予定経路２３０として、車両１００の側方を通り過ぎる経路を設定する。なお、走行予定経路２３０の設定は、他車両１１０が実際に存在しなくてもなされるので、走行予定経路２３０の推定であるともいえ、走行予定経路２３０の幅は、他車両１１０として想定しうる車両の車幅以上の値に設定される。図３（ｂ）−（ｃ）においても、車両１００と駐車領域２１０が図３（ａ）と同様に示されており、走行予定経路２３０が推定される。図２に戻る。
【００２４】
導出部７２は、推定部７０において特定した駐車領域２１０への駐車経路の候補として、複数種類の候補を導出する。ここでは、説明を明瞭にするために、２種類の候補を導出するとする。図３（ａ）は、第１候補２２６を示す。導出部７２は、駐車領域２１０の中に最終駐車位置２２４を特定する。例えば、導出部７２は、駐車領域２１０の中央部分に最終駐車位置２２４を配置させる。ここで、最終駐車位置２２４の面積は車両１００の面積に相当し、導出部７２にとって既知である。導出部７２は、車両１００が走行可能な軌跡情報を予め保持しており、軌跡情報を使用しながら、駐車開始位置２２０から最終駐車位置２２４に続く第１候補２２６を導出する。
【００２５】
例えば、導出部７２は、１回の切り返しだけで生成可能な候補を探索する。そのような、候補が存在する場合、導出部７２は、当該候補を第１候補２２６として決定する。１回の切り返しだけで生成可能な候補が存在しない場合、切り返し回数を１回ずつ増加させながら生成可能な候補を探索する。そのため、第１候補２２６は、切り返し回数が最も少なくなる候補として生成される。これは、切り返し回数が相対的に少なくなるように導出されるともいえる。図３（ａ）における第１候補２２６は、駐車開始位置２２０から切り返し位置２２２に続き、切り返し位置２２２において切り返してから最終駐車位置２２４に到達する。このような第１候補２２６は、図１（ａ）と同様に、車両１００にとって駐車が容易な経路であり、自車の車庫入れ優先の経路であるといえる。
【００２６】
図３（ｂ）は、第２候補２２８を示す。導出部７２は、切り返し回数を制限せず、走行予定経路２３０へのはみ出し面積が小さくなるような候補を第２候補２２８として生成する。これは、走行予定経路２３０へのはみ出し面積が相対的に小さくなるように導出されるともいえる。図３（ｂ）における第２候補２２８は、駐車開始位置２２０から第１切り返し位置２２２ａに続き、第１切り返し位置２２２ａにおいて切り返してから第２切り返し位置２２２ｂに続く。また、第２候補２２８は、第２切り返し位置２２２ｂにおいて、切り返してから第３切り返し位置２２２ｃに続き、第３切り返し位置２２２ｃにおいて切り返してから最終駐車位置２２４に続く。第２候補２２８においては３回の切り返しがなされている。このような第２候補２２８は、図１（ｂ）と同様に、他車両１１０の走行に当てる影響が小さい経路であり、他車両１１０の通過優先の経路であるといえる。図３（ｃ）は、図３（ｂ）と同様の第２候補２２８であるが、通路の幅が異なる。第２候補２２８の形状は同じであっても、通路の幅が異なれば、走行予定経路２３０へのはみ出し面積が異なる。図２に戻る。
【００２７】
監視部７４は、検出情報入力部５２からの検出情報をもとに、他車両１１０の存在を監視する。例えば、検出情報において、走行予定経路２３０の位置に障害物の存在が示されている場合、監視部７４は、他車両１１０が存在すると判定する。なお、監視部７４における他車両１１０の存在の監視は、自動駐車制御の開始タイミングから終了タイミングまで継続的になされている。そのため、監視部７４は、他車両１１０が存在するか否かが示された判定結果を継続的に出力する。この判定結果に、他車両１１０の位置情報が含まれてもよい。
【００２８】
特定部７６は、導出部７２から第１候補２２６と第２候補２２８とを受けつける。特定部７６は、自動駐車制御を開始するタイミングにおいて、監視部７４からの判定結果が他車両１１０の非存在を示していた場合、第１候補２２６を駐車経路として選択する。他車両１１０が存在していなければ、駐車開始位置２２０から最終駐車位置２２４に到達するまでの駐車時間を短くするために、切り返しが少なく簡易な経路の方が好ましいからである。
【００２９】
一方、特定部７６は、自動駐車制御を開始するタイミングにおいて、監視部７４からの判定結果が他車両１１０の存在を示していた場合、第２候補２２８を駐車経路として選択する。他車両１１０が存在していれば、他車両１１０の走行に与える影響を小さくするために、走行予定経路２３０へのはみ出し面積が小さい方が好ましいからである。つまり、特定部７６は、自動駐車制御を開始するタイミングにおいて、他車両１１０が存在するか否かに応じて、第１候補２２６あるいは第２候補２２８を駐車経路として特定する。
【００３０】
選択部７８は、特定部７６において特定した駐車経路のうち、推定部７０において推定した走行予定経路２３０へのはみ出しが相対的に小さい部分を選択する。図４（ａ）−（ｃ）は、選択部７８における処理の概要を示す。図４（ａ）は、特定部７６において第１候補２２６を駐車経路２４０として選択した場合を示す。駐車経路２４０は、図３（ａ）の第１候補２２６と同様に、駐車開始位置２２０から、切り返し位置２２２を介して最終駐車位置２２４までの経路である。また、他車両１１０に対する走行予定経路２３０も示される。選択部７８は、駐車経路２４０と走行予定経路２３０とを重ね合わせ、走行予定経路２３０に重ならない駐車経路２４０の部分を選択部分２４２として選択する。選択部分２４２は、駐車経路２４０において、走行予定経路２３０よりも駐車領域２１０側の部分であるといえる。
【００３１】
図４（ｂ）は、特定部７６において第２候補２２８を駐車経路２４０として選択した場合を示す。駐車経路２４０は、図３（ｂ）の第２候補２２８と同様に、駐車開始位置２２０から、第１切り返し位置２２２ａ、第２切り返し位置２２２ｂ、第３切り返し位置２２２ｃを介して最終駐車位置２２４までの経路である。選択部７８は、図４（ａ）の場合と同様に、駐車経路２４０と走行予定経路２３０とを重ね合わせ、走行予定経路２３０に重ならない駐車経路２４０の部分を選択部分２４２として選択する。図４（ｃ）は、特定部７６において第２候補２２８を駐車経路２４０として選択した場合であって、かつ図３（ｃ）の通路において選択した場合である。選択部７８における処理はこれまでと同様である。図２に戻る。
【００３２】
処理部８０は、特定部７６からの駐車経路２４０と、検出情報入力部５２からの位置情報とをもとに、駐車経路２４０上のどの部分に車両１００が存在するかを順次確認する。処理部８０は、確認結果に応じて、駐車経路２４０に沿った移動の指示が示されたコマンドを生成する。例えば、図４（ａ）において、位置情報が駐車開始位置２２０を示している場合、処理部８０は、駐車経路２４０に沿って切り返し位置２２２に移動することを指示するためのコマンドを生成する。これは、右に曲がりながら前進するコマンドに相当する。位置情報が切り返し位置２２２を示している場合、処理部８０は、移動方向を前進から後進に切りかえてから、駐車経路２４０に沿って最終駐車位置２２４に移動することを指示するためのコマンドを生成する。
【００３３】
また、図４（ｂ）において、位置情報が駐車開始位置２２０を示している場合、処理部８０は、駐車経路２４０に沿って第１切り返し位置２２２ａに移動することを指示するためのコマンドを生成する。これは、前進するコマンドに相当する。位置情報が第１切り返し位置２２２ａを示している場合、処理部８０は、移動方向を前進から後進に切りかえてから、駐車経路２４０に沿って第２切り返し位置２２２ｂに移動することを指示するためのコマンドを生成する。これは、左に曲がりながら更新するコマンドに相当する。
【００３４】
位置情報が第２切り返し位置２２２ｂを示している場合、処理部８０は、移動方向を後進から前進に切りかえてから、駐車経路２４０に沿って第３切り返し位置２２２ｃに移動することを指示するためのコマンドを生成する。これは、右に曲がりながら前進するコマンドに相当する。位置情報が第３切り返し位置２２２ｃを示している場合、処理部８０は、移動方向を前進から後進に切りかえてから、駐車経路２４０に沿って最終駐車位置２２４に移動することを指示するためのコマンドを生成する。図２に戻る。処理部８０は、生成したコマンドをコマンド出力部５５に順次出力する。
【００３５】
コマンド出力部５５は、移動制御装置３０に対して自動駐車の態様を指示する制御コマンドを、制御部４１から受けつけて移動制御装置３０へ送信する。ここでは、特に、特定部７６において特定した駐車経路２４０に沿った移動の指示を示すコマンドを移動制御装置３０に出力する。
【００３６】
移動制御装置３０は、自動運転制御機能を実装した自動運転コントローラであり、自動駐車における車両１００の行動を決定する。なお、以下では、自動運転に関する説明を省略する。移動制御装置３０の構成はハードウェア資源とソフトウェア資源の協働、またはハードウェア資源のみにより実現できる。ハードウェア資源としてプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、その他のＬＳＩを利用でき、ソフトウェア資源としてオペレーティングシステム、アプリケーション、ファームウェア等のプログラムを利用できる。
【００３７】
移動制御装置３０は、駐車支援装置４０から入力した制御コマンド、検出部２０あるいは各種ＥＣＵから収集した各種情報を自動駐車のアルゴリズムに適用して、車両１００のアクセルスロットル開度、ステアリング舵角等の自動制御対象を制御するための制御値を算出する。移動制御装置３０は算出した制御値を、各制御対象のＥＣＵまたはコントローラに伝達する。本実施の形態ではステアリングＥＣＵ、ブレーキＥＣＵ、エンジンＥＣＵ、ウィンカコントローラに伝達する。なお電気自動車あるいはハイブリッドカーの場合、エンジンＥＣＵに代えてまたは加えてモータＥＣＵに制御値を伝達する。
【００３８】
以下では、処理部８０における自動駐車制御の途中において、他車両１１０の存在が検出された場合の処理を説明する。自動駐車制御中に、処理部８０は、監視部７４からの判定結果が他車両１１０の存在を示した場合、選択部７８において選択した選択部分２４２での停車を決定する。具体的に説明すると、他車両１１０の存在が示されたタイミングでの位置情報が選択部分２４２に含まれている場合、処理部８０は、選択部分２４２で停車を指示するためのコマンド（以下、「待機指示コマンド」という）を生成する。この他車両１１０の存在が示されたタイミングでの位置情報が選択部分２４２に含まれている場合とは、例えば、図４（ａ）の駐車開始位置２２０から切り返し位置２２２に向かう選択部分２４２に車両１００が存在する場合に相当する。
【００３９】
一方、処理部８０は、他車両１１０の存在が示されたタイミングでの位置情報が選択部分２４２に含まれていない場合、選択部分２４２に含まれる部分まで駐車経路２４０に沿って移動することを指示するためのコマンドを生成する。例えば、図４（ａ）の切り返し位置２２２に車両１００が存在する場合、処理部８０は、駐車経路２４０に沿って最終駐車位置２２４の方向に、選択部分２４２に入るまで移動することを指示するためのコマンドを生成する。さらに、車両１００が選択部分２４２に入ると、処理部８０は待機指示コマンドを生成してもよい。これらのコマンドは、前述のごとく、コマンド出力部５５から移動制御装置３０に出力される。このように、選択部分２４２において車両１００を停車させることによって、他車両１１０は車両１００を通り過ぎることができる。
【００４０】
表示制御部９０は、特定部７６から駐車経路２４０の情報、走行予定経路２３０の情報を受けつける。また、表示制御部９０は、コマンド出力部５５からの待機指示コマンドも受けつける。表示制御部９０は、待機指示コマンドを受けつけた場合、特定部７６からの情報をもとに、車外向け表示装置９２における表示を制御する。車外向け表示装置９２は、車外に向かって情報を表示する装置であり、例えば、プロジェクションよる路面への投射を実行する。これには公知の技術が使用されればよいので、ここでは説明を省略する。
【００４１】
車外向け表示装置９２における表示は、例えば、図５（ａ）−（ｂ）のように示される。図５（ａ）−（ｂ）は、表示制御部９０による処理の概要を示す。図５（ａ）において、表示制御部９０は、走行予定経路２３０の少なくとも一部から走行予定経路表示２５０を生成して、これを車外向け表示装置９２に表示させる。これは、他車両１１０に対して、通過可能であることを知らせるための表示であるといえる。また、図５（ｂ）において、表示制御部９０は、駐車経路２４０の少なくとも一部から駐車経路表示２５２を生成して、これを車外向け表示装置９２に表示させる。これは、他車両１１０に対して、自車の経路および駐車しようとする駐車領域２１０を知らせるための表示であるといえる。
【００４２】
なお、図５（ａ）−（ｂ）における走行予定経路表示２５０あるいは駐車経路表示２５２とともに、他車両１１０が走行可能な通路の幅をセンサ２２が測定し、表示制御部９０は、当該通路の幅の情報を車外向け表示装置９２に表示させてもよい。この幅は走行予定経路表示２５０の幅に相当する。また、センサ２２が検出した障害物との距離に関する情報を表示制御部９０が車外向け表示装置９２に表示させてもよい。図２に戻る。
【００４３】
車外向け表示装置９２は、路面への投射機能を有したプロジェクタでなくてもよく、車外から認識可能な専用ランプであってもよい。これは、例えば、駐車中に「赤色」に点灯し、駐車開始前に「黄色」に点灯し、待機中に「青色」に点灯し、駐車が完了した場合に「緑色」に点灯するように、表示制御部９０によって制御される。さらに、車外向け表示装置９２は、車外から視認可能なディスプレイであってもよい。これは、例えば、「通行可」、「通路幅○○ｍ」、「駐車中」のようなメッセージを表示するように、表示制御部９０によって制御される。
【００４４】
監視部７４が他車両１１０の存在を検出したが、他車両１１０が車両１００を通り過ぎない場合もある。図６（ａ）−（ｂ）は、実施の形態１に係る車両１００の駐車の別の概要を示す。図６（ａ）では、他車両１１０が走行予定経路２３０を直進せずに曲がる。監視部７４は、検出情報をもとに、他車両１１０の位置情報が走行予定経路２３０に沿わず、曲がっていることを検出した場合、他車両１１０が存在しない判定結果を処理部８０に出力する。処理部８０は、監視部７４からの判定結果が他車両１１０の存在から非存在に変化すると、停車を取りやめて、駐車経路２４０に沿った移動の指示が示されたコマンドを生成する。これは、他車両１１０が後退した場合も同様である。
【００４５】
図６（ｂ）では、他車両１１０が停車した場合である。監視部７４は、検出情報をもとに、他車両１１０が所定期間にわたって停車していることを検出した場合、他車両１１０が存在しない判定結果を処理部８０に出力する。処理部８０は、監視部７４からの判定結果が他車両１１０の存在から非存在に変化すると、停車を取りやめて、駐車経路２４０に沿った移動の指示が示されたコマンドを生成する。
【００４６】
なお、ここでは、移動制御装置３０と駐車支援装置４０は別個の装置として構成される。変形例として、図２の破線で示すように、移動制御装置３０と駐車支援装置４０を１つのコントローラに統合してもよい。言い換えれば、１つの移動制御装置が、図１の移動制御装置３０と駐車支援装置４０の両方の機能を備える構成であってもよい。
【００４７】
以上の構成による駐車支援装置４０の動作を説明する。図７は、駐車支援装置４０による駐車手順を示すフローチャートである。推定部７０は、駐車領域２１０を探索し（Ｓ１０）、空き駐車領域２１０を特定する（Ｓ１２）。監視部７４は、他車両１１０の待機を判定する（Ｓ１４）。導出部７２は複数の候補を導出し（Ｓ１６）、特定部７６は駐車経路２４０を設定する（Ｓ１８）。監視部７４は、他車両１１０の待機を判定する（Ｓ２０）。処理部８０は、車両１００の移動のアプローチを実行する（Ｓ２２）。他車両１１０が通過可能な道幅がなければ（Ｓ２４のＮ）、監視部７４は、他車両１１０の待機を判定する（Ｓ２６）。他車両１１０が通過可能な道幅があれば（Ｓ２４のＹ）、ステップ２６はスキップされる。処理部８０によって車両１００の一時入庫が完了する（Ｓ２８）。監視部７４は、他車両１１０の待機を判定する（Ｓ３０）。処理部８０は、ズレ補正を実行する（Ｓ３２）。
【００４８】
図８は、駐車支援装置４０による待機判定手順を示すフローチャートである。これは、図７のステップ１４、ステップ２０、ステップ２６、ステップ３０に対応する。他車両１１０が通過待ちである場合（Ｓ５０のＹ）、処理部８０は選択部分２４２で待機する（Ｓ５２）。他車両１１０が通過完了しなければ（Ｓ５４のＮ）、ステップ５２に戻る。他車両１１０が通過完了であれば（Ｓ５４のＹ）、処理部８０は自動駐車を再開する（Ｓ５６）。他車両１１０が通過待ちでない場合（Ｓ５０のＮ）、処理が終了される。
【００４９】
図９は、駐車支援装置４０による経路設定手順を示すフローチャートである。これは、図７のステップ１８に対応する。他車両１１０が通過待ちであれば（Ｓ７０のＹ）、特定部７６は第２候補２２８を選択する（Ｓ７２）。他車両１１０が通過待ちでなければ（Ｓ７０のＮ）、特定部７６は第１候補２２６を選択する（Ｓ７４）。
【００５０】
本実施の形態によれば、車両に接近する他車両が検出された場合に、走行予定経路へのはみ出しが相対的に小さい選択部分に車両を停車させるので、他車両を走行させることができる。また、他車両を走行させるので、車両を駐車させる場合において他の車両の走行に与える影響を低減できる。また、自動駐車制御中に他車両の通行機会を増やすので、駐車場等での渋滞の発生を抑制できる。また、自動駐車制御を開始する際に、他車両が存在するか否かに応じて第１候補あるいは第２候補を選択するので、状況に応じた駐車経路を特定できる。また、他車両が存在しない場合に、自車の車庫入れ優先の経路を選択するので、他車両が来るまでの間に、車両の駐車を完了しやすくできる。また、他車両が存在する場合に、他車両の通過優先の経路を選択するので、他車両を走行させることができる。また、走行予定経路の少なくとも一部を車外向け表示装置に表示させるので、他車両が走行可能な経路を知らせることができる。また、駐車経路の少なくとも一部を車外向け表示装置に表示させるので、本車両が移動する予定の経路を知らせることができる。
【００５１】
（実施の形態２）
次に、実施の形態２を説明する。実施の形態２は、実施例１と同様に、車両の走行、制動、操舵を自動的に制御する自動運転制御装置に対して、駐車に関する指示を出力する駐車支援装置に関する。実施の形態１では、自動駐車制御を開始するタイミングにおいて他車両が存在するか否かに応じて、第１候補あるいは第２候補が駐車経路として選択される。一方、実施の形態２では、自動駐車制御を開始するタイミングにおいて乗員によって、第１候補あるいは第２候補が駐車経路として選択される。ここでは、実施の形態１との差異を中心に説明する。
【００５２】
図１０は、実施の形態２に係る駐車支援装置４０の構成を示す。これは、図２の推定部７０、導出部７２、監視部７４に対応した部分を示しており、実施の形態１と同様の処理がなされる部分については、図示を省略する。駐車支援装置４０は、制御部４１、操作信号入力部５０、画像出力部５１を含み、制御部４１は、推定部７０、導出部７２、特定部７６、生成部８２を含む。画像出力部５１には報知装置２が接続され、操作信号入力部５０には入力装置４が接続される。推定部７０、導出部７２は、実施の形態１と同様の処理を実行しており、導出部７２は、駐車経路の候補として、切り返し回数が相対的に少ない第１候補２２６と、走行予定経路２３０へのはみ出し面積が相対的に小さい第２候補２２８とを導出する。
【００５３】
生成部８２は、第１候補２２６と第２候補２２８のいずれかを乗員に選択させるための画像を生成する。これは、導出部７２において導出した第１候補２２６と第２候補２２８とが示された画像であるともいえる。生成部８２は、画像を画像出力部５１に出力する。
画像出力部５１は、制御部４１が生成した画像を報知装置２に出力する。前述のごとく、画像には第１候補２２６と第２候補２２８とが示されているので、画像出力部５１は候補出力部であるともいえる。
【００５４】
報知装置２は、車両１００の走行あるいは駐車に関する情報を乗員に報知する。報知装置２は、例えば、車内に設置されているカーナビゲーションシステム、ヘッドアップディスプレイ、センターディスプレイである。図１１は、報知装置２に表示される画像を示す。図示のごとく、第１候補２２６と第２候補２２８が示されるとともに、どちらか一方の選択を促すためのメッセージが示される。図１０に戻る。
【００５５】
入力装置４は、乗員による操作入力を受けつけるユーザインタフェース装置である。例えば入力装置４は、タッチパネル、レバー、ボタン、スイッチ、ジョイスティックやボリューム等のコントローラ、非接触でジェスチャーを認識するカメラ等のセンサ、音声を認識するマイク等のセンサや、それらの組合せであり、乗員が入力した自車の自動運転あるいは自動駐車に関する情報を受けつける。自動駐車に関する情報とは、例えば、自動駐車の開始あるいは解除である。また、報知装置２に示された第１候補２２６と第２候補２２８のいずれか一方の選択の指示が入力される。入力装置４は、受けつけた指示を操作信号として駐車支援装置４０に出力する。
【００５６】
操作信号入力部５０は、入力装置４に対してなされた乗員もしくは車外にいるユーザの操作による操作信号を入力装置４から受信し、制御部４１へ出力する。ここでは、特に、報知装置２に表示された第１候補２２６あるいは第２候補２２８の選択であって、かつ乗員による選択が示された操作信号を受けつける。特定部７６は、操作信号入力部５０において受けつけた操作信号に示された選択をもとに、第１候補２２６あるいは第２候補２２８を駐車経路２４０として特定する。これに続く処理はこれまでと同様である。
【００５７】
本実施の形態によれば、第１候補あるいは第２候補を乗員に選択させるので、乗員の意図に合った駐車経路を特定できる。また、第１候補と第２候補とが示された画像を表示するので、乗員に第１候補と第２候補を認識させることができる。
【００５８】
（実施の形態３）
次に、実施の形態３を説明する。実施の形態３は、これまでと同様に、車両の走行、制動、操舵を自動的に制御する自動運転制御装置に対して、駐車に関する指示を出力する駐車支援装置に関する。実施の形態１では、自動駐車制御中のタイミングにおいて他車両の存在を確認した場合、選択部分での停車を実行する。一方、実施の形態３では、乗員からの操作によって停車を実行する。ここでは、これまでとの差異を中心に説明する。
【００５９】
図１２は、実施の形態３に係る駐車支援装置４０の構成を示す。これは、図２の特定部７６、選択部７８、処理部８０に対応した部分を示しており、これまでと同様の処理がなされる部分については、図示を省略する。駐車支援装置４０は、制御部４１、操作信号入力部５０、画像出力部５１を含み、制御部４１は、推定部７０、特定部７６、選択部７８、処理部８０、生成部８２を含む。画像出力部５１には報知装置２が接続され、操作信号入力部５０には入力装置４が接続される。
【００６０】
推定部７０、特定部７６、選択部７８は、これまでと同様の処理を実行しており、選択部７８は、特定部７６において特定した駐車経路２４０のうち、推定部７０において推定した走行予定経路２３０へのはみ出しが相対的に小さい選択部分２４２を選択する。選択部７８は、走行予定経路２３０、駐車経路２４０、選択部分２４２に関する情報を生成部８２に出力する。生成部８２は、走行予定経路２３０、駐車経路２４０、選択部分２４２をもとに、走行予定経路２３０および選択部分２４２が駐車経路２４０上に示された画像を生成する。生成部８２は画像を画像出力部５１に出力し、画像出力部５１は画像を報知装置２に出力する。
【００６１】
図１３（ａ）−（ｂ）は、報知装置２に表示される画像を示す。図１３（ａ）は、図４（ａ）の駐車経路２４０が特定部７６において特定された場合の画像を示す。駐車経路２４０の形状に複数の車両アイコン２６０が並べられているとともに、走行予定経路２３０にはみ出した部分と、選択部分２４２とにおいて表示の色が変えられている。図１３（ｂ）は、図４（ｂ）の駐車経路２４０が特定部７６において特定された場合の画像を示す。ここでも、駐車経路２４０の形状に複数の車両アイコン２６０が並べられているとともに、走行予定経路２３０にはみ出した部分と、選択部分２４２とにおいて表示の色が変えられている。図１２に戻る。
【００６２】
報知装置２がタッチパネルである場合、報知装置２に表示された画像を視認した乗員は、車両１００を停車させる位置としていずれかの車両アイコン２６０に触れることによって、入力装置４に停車位置の指示を入力する。その際、走行予定経路２３０にはみ出した部分と、選択部分２４２とにおいて表示の色が変えられているので、乗員は、選択部分２４２を容易に選択できる。入力装置４は、受けつけた指示を操作信号として駐車支援装置４０に出力する。
【００６３】
操作信号入力部５０は、報知装置２に表示された画像の駐車経路２４０上の位置であって、かつ乗員によって指定された位置が示された操作信号を受けつける。処理部８０は、監視部７４からの判定結果が他車両１１０の存在を示す場合、操作信号入力部５０において受けつけた操作信号に示された位置での停車を決定する。処理部８０は、決定した位置での停車を指示するためのコマンドを生成する。図示しないコマンド出力部５５は、処理部８０において生成したコマンドを移動制御装置３０に出力する。
【００６４】
本実施の形態によれば、乗員によって指定された位置での停車を指示するので、乗員の意図に合った位置で停車できる。また、選択部分と、走行予定経路にはみ出した部分とを乗員が識別可能な画像を表示するので、乗員に選択部分を知らせることができる。
【００６５】
以上、本発明に係る実施の形態について図面を参照して詳述してきたが、上述した装置や各処理部の機能は、コンピュータプログラムにより実現されうる。上述した機能をプログラムにより実現するコンピュータは、キーボードやマウス、タッチパッドなどの入力装置、ディスプレイやスピーカなどの出力装置、ＣＰＵ（Ｃｅｎｔｒａｌ  Ｐｒｏｃｅｓｓｉｎｇ  Ｕｎｉｔ）、ＲＯＭ、ＲＡＭ、ハードディスク装置やＳＳＤ（Ｓｏｌｉｄ  Ｓｔａｔｅ  Ｄｒｉｖｅ）などの記憶装置、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）やＵＳＢメモリなどの記録媒体から情報を読み取る読取装置、ネットワークを介して通信を行うネットワークカードなどを備え、各部はバスにより接続される。
【００６６】
また、読取装置は、上記プログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。また、ＣＰＵが、記憶装置に記憶されたプログラムをＲＡＭにコピーし、そのプログラムに含まれる命令をＲＡＭから順次読み出して実行することにより、上記各装置の機能が実現される。また、障害物として、他のロードユーザを含めてもよい。例えば、バイク（二輪車）と自転車（に人が乗っている）は他車両扱いで、自転車を押す人やスケートボードに乗る人は歩行者扱いとしてもよい。
【００６７】
本発明の一態様の概要は、次の通りである。本発明のある態様の駐車支援装置は、車両の駐車開始位置から駐車終了位置までの駐車経路を特定する特定部と、車両を他の車両が通り過ぎる場合における他の車両の走行予定経路を推定する推定部と、特定部において特定した駐車経路のうち、推定部において推定した走行予定経路へのはみ出しが相対的に小さい部分を選択する選択部と、車両に接近する他の車両の検出結果である検出情報を受けつける入力部と、特定部において特定した駐車経路に沿った移動の指示と、入力部が検出情報を受けつけた場合に、選択部において選択した部分での停車の指示とを、車両の移動を制御する移動制御装置に出力する出力部と、を備える。
【００６８】
この態様によると、車両に接近する他の車両の検出結果である検出情報を受けつけた場合に、走行予定経路へのはみ出しが相対的に小さい部分に車両を停車させるので、車両を駐車させる場合において他の車両の走行に与える影響を低減できる。
【００６９】
駐車経路の候補として、切り返し回数が相対的に少ない第１候補と、走行予定経路へのはみ出し面積が相対的に小さい第２候補とを導出する導出部をさらに備えてもよい。特定部は、駐車経路を特定するタイミングにおいて入力部が検出情報を受けつけているか否かに応じて、第１候補あるいは第２候補を駐車経路として特定してもよい。この場合、他の車両が存在するか否かに応じて第１候補あるいは第２候補を選択するので、状況に応じた駐車経路を特定できる。
【００７０】
駐車経路の候補として、切り返し回数が相対的に少ない第１候補と、走行予定経路へのはみ出し面積が相対的に小さい第２候補とを導出する導出部と、導出部において導出した第１候補と第２候補を報知装置に出力する候補出力部と、報知装置に表示された第１候補あるいは第２候補の選択であって、かつ乗員による選択が示された操作信号を受けつける操作信号入力部とをさらに備えてもよい。特定部は、操作信号入力部において受けつけた操作信号に示された選択をもとに、第１候補あるいは第２候補を駐車経路として特定してもよい。この場合、第１候補あるいは第２候補を乗員に選択させるので、乗員の意図に合った駐車経路を特定できる。
【００７１】
選択部において選択した部分が、特定部において特定した駐車経路上に示された画像を報知装置に出力する画像出力部と、報知装置に表示された画像の駐車経路上の位置であって、かつ乗員によって指定された位置が示された操作信号を受けつける操作信号入力部とをさらに備えてもよい。出力部は、入力部が検出情報を受けつけた場合に、操作信号入力部において受けつけた操作信号に示された位置での停車の指示を移動制御装置に出力してもよい。この場合、乗員によって指定された位置での停車を指示するので、乗員の意図に合った位置で停車できる。
【００７２】
車外に向かって情報を表示する車外向け表示装置における表示を制御する表示制御部をさらに備えてもよい。表示制御部は、出力部が停車の指示を移動制御装置に出力した場合に、推定部において推定した走行予定経路の少なくとも一部を車外向け表示装置に表示させてもよい。この場合、走行予定経路の少なくとも一部を車外向け表示装置に表示させるので、他の車両が走行可能な経路を知らせることができる。
【００７３】
車外に向かって情報を表示する車外向け表示装置における表示を制御する表示制御部をさらに備えてもよい。表示制御部は、出力部が停車の指示を移動制御装置に出力した場合に、特定部において特定した駐車経路の少なくとも一部を車外向け表示装置に表示させてもよい。この場合、駐車経路の少なくとも一部を車外向け表示装置に表示させるので、本車両が移動する予定の経路を知らせることができる。
【００７４】
本発明の別の態様は、移動制御装置である。この装置は、車両の駐車開始位置から駐車終了位置までの駐車経路を特定する特定部と、車両を他の車両が通り過ぎる場合における他の車両の走行予定経路を推定する推定部と、特定部において特定した駐車経路のうち、推定部において推定した走行予定経路へのはみ出しが相対的に小さい部分を選択する選択部と、車両に接近する他の車両の検出結果である検出情報を受けつける入力部と、特定部において特定した駐車経路に沿った移動の指示と、入力部が検出情報を受けつけた場合に、選択部において選択した部分での停車の指示とをもとに、車両の移動を制御する移動制御部と、を備える。
【００７５】
この態様によると、車両に接近する他の車両の検出結果である検出情報を受けつけた場合に、走行予定経路へのはみ出しが相対的に小さい部分に車両を停車させるので、車両を駐車させる場合において他の車両の走行に与える影響を低減できる。
【００７６】
本発明のさらに別の態様は、駐車支援方法である。この方法は、車両の駐車開始位置から駐車終了位置までの駐車経路を特定するステップと、車両を他の車両が通り過ぎる場合における他の車両の走行予定経路を推定するステップと、特定した駐車経路のうち、推定した走行予定経路へのはみ出しが相対的に小さい部分を選択するステップと、車両に接近する他の車両の検出結果である検出情報を受けつけるステップと、特定した駐車経路に沿った移動の指示と、検出情報を受けつけた場合に、選択した部分での停車の指示とを、車両の移動を制御する移動制御装置に出力するステップと、を備える。
【００７７】
以上、本発明を実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００７８】
本実施の形態１から３の任意の組合せも有効である。本変形例によれば、組合せによる効果を得ることができる。
【産業上の利用可能性】
【００７９】
本発明によれば、車両を駐車させる場合において他の車両の走行に与える影響を低減できる。
【符号の説明】
【００８０】
２  報知装置、  ４  入力装置、  ２０  検出部、  ２１  位置情報取得部、  ２２  センサ、  ２４  地図情報取得部、  ３０  移動制御装置、  ４０  駐車支援装置、  ４１  制御部、  ５０  操作信号入力部、  ５１  画像出力部、  ５２  検出情報入力部、  ５５  コマンド出力部、  ７０  推定部、  ７２  導出部、  ７４  監視部、  ７６  特定部、  ７８  選択部、  ８０  処理部、  ８２  生成部、  ９０  表示制御部、  ９２  車外向け表示装置、  １００  車両。
【図１】
2018163113.tif 000003
【図２】
2018163113.tif 000004
【図３】
2018163113.tif 000005
【図４】
2018163113.tif 000006
【図５】
2018163113.tif 000007
【図６】
2018163113.tif 000008
【図７】
2018163113.tif 000009
【図８】
2018163113.tif 000010
【図９】
2018163113.tif 000011
【図１０】
2018163113.tif 000012
【図１１】
2018163113.tif 000013
【図１２】
2018163113.tif 000014
【図１３】
2018163113.tif 000015